(57)【要約】【課題】放送形態の多様化、及びチャンネルの多桁化に対応して複雑化するチャンネルの操作性を改善し、テレビ受信装置等の被制御機器の情報の特定・再生にあたって、迅速で確実な選択を可能とする。【解決手段】  多桁入力画面において多桁の数字又は／及び文字が入力されることにより、再生すべき情報を特定することが可能なリモコン装置により制御される被制御装置を、前記多桁入力画面においてモード種別を併せて表示し、前記リモコン装置が備えるモード選択手段の操作結果に応じて、前記再生すべき情報のモードを変更可能とするとともに、前記モードが変更された場合には、前記入力した数字又は文字の状態を未入力状態とする。【選択図】図１３
2008099331.tif 000002
【特許請求の範囲】
【請求項１】
多桁入力画面において多桁の数字又は／及び文字が入力されることにより、再生すべき情報を特定することが可能なリモコン装置により制御される被制御装置であって、
前記多桁入力画面においてモード種別を併せて表示し、
前記リモコン装置が備えるモード選択手段の操作結果に応じて、前記再生すべき情報のモードを変更可能とするとともに、
前記モードが変更された場合には、前記入力した数字又は文字の状態を未入力状態とすることを特徴とするリモコン装置により制御される被制御装置。
【請求項２】
前記数字又は文字を入力すべき位置を指示する入力位置指示手段を備え、
前記モードが変更された場合、前記入力位置指示手段を前記多桁の入力位置のうち前記文字又は数字を最初に入力すべき位置に表示することを特徴とする請求項１に記載のリモコン装置により制御される被制御装置。
【請求項３】
多桁入力画面において多桁の数字又は／及び文字が入力されることにより、再生すべき情報を特定することが可能な、リモコン装置により制御される被制御装置であって、
前記多桁入力画面においてモード種別を併せて表示し、
前記リモコン装置によるモード選択指示に応じて、前記再生すべき情報のモードを変更可能とするとともに、
前記リモコン装置が備える入力位置移動指示手段の操作の結果、前記入力位置指示手段が、前記多桁入力画面において表示されているモード種別を指示しているときに、前記モードを変更した場合は、前記入力した数字又は文字の状態を維持し、そうでないときに、前記モードを変更した場合は、前記入力した数字又は文字の状態を未入力状態とすることを特徴とするリモコン装置により制御される被制御装置。
【請求項４】
前記リモコン装置による起動指示によって前記多桁入力画面を起動し、当該多桁入力画面の起動の後所定時間を経過した場合に前記多桁入力画面に入力された数字又は／及び文字によって特定される情報の再生を開始することを特徴とする請求項１乃至３の何れかに記載のリモコン装置により制御される被制御装置。
【請求項５】
前記数字又は／文字により特定される情報の再生は、前記所定時間の経過前であっても、前記リモコン装置による再生の指示により開始することが可能な請求項４に記載のリモコン装置により制御される被制御装置。
【請求項６】
前記リモコン装置の起動指示による多桁入力画面の表示時に、現在再生中の情報を特定する数字又は／及びを前記多桁入力画面に表示することを特徴とする請求項４又は５に記載のリモコン装置により制御される被制御装置。
【請求項７】
前記モードを変更すると同時に、当該変更後のモードにかかる情報を再生することを特徴とする請求項１乃至６の何れかに記載のリモコン装置により制御される被制御装置。
【請求項８】
前記変更後のモードにかかる情報は、過去に当該モードを再生した最後の情報であることを特徴とする請求項７に記載のリモコン装置により制御される被制御装置。
【請求項９】
前記変更後のモードにかかる情報は、予め定められたホームとなる番号により特定される情報であることを特徴とする請求項７に記載のリモコン装置により制御される被制御装置。
【請求項１０】
前記選択されたモードが再生すべき情報を特定するのに必要な桁数にのみ前記数字又は／及び文字を入力可能とするように、前記多桁入力画面を表示することを特徴とする請求項１乃至９の何れかに記載のリモコン装置により制御される被制御装置。
【請求項１１】
前記多桁の入力位置のうち、未入力の位置を０と認識して前記再生すべき情報を特定して再生することを特徴とする請求項１乃至１０の何れかに記載のリモコン装置により制御される被制御装置。
【請求項１２】
前記モードは、テレビ放送の形態を示すネットワークであることを特徴とする請求項１乃至１１の何れかに記載のリモコン装置により制御される被制御装置。
【請求項１３】
前記被制御装置は、テレビ受信装置であることを特徴とする請求項１乃至１２の何れかに記載のリモコン装置により制御される被制御装置。
【請求項１４】
前記被制御装置は、カラオケ装置であることを特徴とする請求項１乃至１１の何れかに記載のリモコン装置により制御される被制御装置。
【請求項１５】
請求項１乃至１４の何れかに記載のリモコン装置により制御される被制御装置と、当該被制御装置を遠隔制御するリモコン装置から構成されることを特徴とするリモート処理装置。
【請求項１６】
外部機器を接続可能であり、外部機器の情報を再生可能であることを特徴とする請求項１５に記載のリモート処理装置。
【発明の詳細な説明】
【技術分野】
【０００１】
本発明は、テレビ受信装置の選局・入力切り換え等の技術に関する。
【背景技術】
【０００２】
近年、テレビ放送の形態として、現在の地上アナログ放送に加え、ＢＳデジタル放送（Ｂｒｏａｄｃａｓｔｉｎｇ  Ｓａｔｅｌｌｉｔｅ〔放送衛星〕）、ＣＳデジタル放送（Ｃｏｍｍｕｎｉｃａｔｉｏｎ  Ｓａｔｅｌｌｉｔｅ〔通信衛星〕）、地上デジタル放送が開始される等、放送形態が多様化している。
【０００３】
それに伴い、テレビ受信機を遠隔操作するリモートコントロール装置（以下、「リモコン装置」と称す）には、ＢＳデジタル放送（以下ＢＳと称す）を選択するキー、ＣＳデジタル放送（以下「ＣＳ」と称す）を選択するキー、地上デジタル放送（以下「地上Ｄ」と称す）を選択するキー、地上アナログ放送（以下「地上Ａ」と称す）を選択するキーなどのネットワークキーを備えると共に、さらに、ＶＴＲやＤＶＤの信号を表示するモードに切り換える入力切り換えキー等のキーをも備えることを考慮すると、リモコン等に備わるキーは、ますます複雑化している。
【０００４】
しかも、上記デジタル放送は基本的にチャンネル番号は３桁で表される。よって、このような多数のチャンネルの中から適切なチャンネルを選局するにあたっても、煩わしさが増している。
【０００５】
このような状況のもと、ユーザビリティの向上を図るべく、様々な試みがなされている。
【０００６】
例えば、特許文献１には、リモコン装置の数字キーを用いて入力したチャンネル番号（数字）に誤りがあった場合に備えて、訂正キーをリモコン装置に備え、該訂正キーを操作することにより、既入力の数字を下位の桁から順次消去して、次の数字キー操作により入力される数字と置換していくことにより、確実に所望の番組を選局することを可能とするチャンネル入力途中の訂正技術が記載されている。
【０００７】
また、特許文献２には、リモコン装置の数字キーにＡＢＣ等の所定の文字を割り振り、文字入力を可能とし、放送局名（例えば、ＢＢＣ１、ＣＮＮ等）を直接入力することにより、望みの「放送局」を選局する操作が容易に素早く行うことができるデジタル放送受信装置を提案している。
【０００８】
さらに、特許文献３のＡＶシステムでは、リモコン装置にテレビモードキーと、カーソルキーと、エンターキーを備え、リモコン装置のテレビモードキーを押下すると、テレビ受信装置の表示部に、受信中のチャンネルが表示されると共に、カーソルを表示させ、カーソルキーを操作してカーソルにて希望チャンネルを指示した後、エンターキーを押すと指示されたチャンネルに切り換えられるようにし、リモコン装置の操作性を向上するようにしている。
【０００９】
そして、特許文献４では、テレビ受信機に関する技術分野ではないが、多桁の数字を表示する電話機において、必要な桁の数字の置き換えだけで記憶された電話番号の変更ができるようにし、記憶内容変更操作をより簡略にした電話機を提供している。
【特許文献１】特開２０００−３０７８８８号公報
【特許文献２】特開２００３−９０１９号公報
【特許文献３】特開平１−１０５６９５号公報
【特許文献４】特開昭６１−２７４５５３号公報
【発明の開示】
【発明が解決しようとする課題】
【００１０】
しかしながら、前記特許文献１に示すような訂正技術においては、既に入力したチャンネル番号を訂正キーによって１桁ずつ戻りながら訂正していくというものであり、任意の桁位置の数字情報を直接訂正することができない。例えば、３桁目までチャンネル番号の数字を入力した後で、１桁目の数字を訂正したい場合、訂正キーを３回操作しなければ、１桁目の数字を訂正することができず、更に、１桁目の数字を訂正した後に、再度３桁目までの数字を数字キーで入力し直さなければならない。この結果、今後益々桁数が多くなる傾向にあるチャンネル番号の数字情報を入力する際、数字情報を誤入力する頻度が多くなるとともに、訂正する桁位置も現在入力中の桁位置から大きく離れている場合も多くなり、多桁数字からなるチャンネル番号を訂正するにしても、迅速に行うことができるとは言い難い。
【００１１】
また、特許文献１による訂正技術では、訂正キーを設ける必要がある。上述のようにネットワークキーや各種モードキーが設けられるなど、キーの数、種類がますます増加しているため、できる限り既存のキーを利用して訂正を可能とすることが望ましい。
【００１２】
一方、リモコン装置に通常備わっている１から１２の数字キーは、何れかのキーを押下すると予め記憶された特定のチャンネルを即座に直接選局するものとして馴染み深く浸透している。よって、特許文献１のように、数字キーを操作した直後に多桁入力モードに移行してダイレクト選局することは、１から１２に割り当てられたチャンネルをダイレクトに選局するという従来の常識を放棄することになってしまい、操作性の向上という点で乏しい。
【００１３】
特許文献２のリモコン装置では、数字キーによって数字のみならず文字をも直接入力しなければならないため、数字キーに文字入力機能を持たせるか文字キーを備えなければならず、チャンネル選局に際してはやはり煩わしい。
【００１４】
特許文献３のＡＶシステムでは、カーソルキーを備えてチャンネルを選局するものの、チャンネルの選択はやはりカーソルキーで行うため、表示部に多くのチャンネル情報を表示しなければならないうえ、その中からチャンネルを選択するにはカーソルキーの移動によらなければならず、直接チャンネルを指定することができず、多チャンネル化した放送の選局に対応することができない。
【００１５】
特許文献４は、任意桁の数字を訂正することが可能な電話機を開示しているが、そもそもテレビ受信機とは分野が異なるため、選局するという概念がなく、訂正と同時に選局されるか他の決定キー等により選局をするか、一定時間経過後に選局されるようにするかなどは一切考慮されていない。従って、選局の際に訂正する余裕時間を考慮するなどの概念もない。また、放送形態の多様化ということは考慮されていない。そして当然ながら、ＢＳデジタル放送やＣＳデジタル放送などのネットワークは考慮されておらず、これら特有の選局には対応していない。
【００１６】
また、入力したダイヤル番号を変更するのに、一度オンフックし、再発信ボタンを押して初めて訂正モードに移行するため、訂正をするための前提となる操作が必要となる。
【００１７】
本発明は、かかる事情に鑑みてなされたものであり、放送形態の多様化、チャンネルの多桁化、他機器との連係の複雑化、及び表示装置による表示形態の多様化などに対応して、テレビ受信装置等の被制御機器の選局・入力切り換え等に関するユーザビリティを向上させることを目的としている。
【課題を解決するための手段】
【００１８】
上記の目的を達成するために本発明は、以下のような手段を用いた。
【００１９】
多桁入力画面において多桁の数字又は／及び文字が入力されることにより、再生すべき情報を特定することが可能なリモコン装置により制御される被制御装置を、前記多桁入力画面においてモード種別を併せて表示し、前記リモコン装置が備えるモード選択手段の操作結果に応じて、前記再生すべき情報のモードを変更可能とするとともに、前記モードが変更された場合には、前記入力した数字又は文字の状態を未入力状態とする。
【００２０】
上記構成により、モードが変更するたびに全ての数字又は／および文字を一気にクリアすることができ、一部訂正を考慮する煩わしさを回避することができる。
【００２１】
このとき、前記数字又は文字を入力すべき位置を指示する入力位置指示手段を備えるようにし、前記モードが変更された場合、前記入力位置指示手段を前記多桁の入力位置のうち前記文字又は数字を最初に入力すべき位置に表示するようにしておくとよい。
【００２２】
また、多桁入力画面において多桁の数字又は／及び文字が入力されることにより、再生すべき情報を特定することが可能な、リモコン装置により制御される被制御装置を、前記多桁入力画面においてモード種別を併せて表示し、前記リモコン装置によるモード選択指示に応じて、前記再生すべき情報のモードを変更可能とするとともに、前記リモコン装置が備える入力位置移動指示手段の操作の結果、前記入力位置指示手段が、前記多桁入力画面において表示されているモード種別を指示しているときに、前記モードを変更した場合は、前記入力した数字又は文字の状態を維持し、そうでないときに、前記モードを変更した場合は、前記入力した数字又は文字の状態を未入力状態とするようにした。
【００２３】
上記構成によれば、モードを変更することによって入力した数字情報等をクリアしたいユーザにとっても、そうでないユーザにとっても、いずれかを選択することが可能となってユーザビリティが向上する。すなわち、入力位置指示手段がモード種別を指示しているときは、モードのみを変更したいと判断して、入力した数字情報等を維持しながらモードを変更し、入力位置指示手段がモード種別を指示していないときに、モードを変更したときは、当該モードの初期状態から入力を開始したいと判断して、入力した数字情報等をクリアしてモードを変更する。よって、ユーザビリティが格段に向上する。
【００２４】
そして、前記リモコン装置による起動指示によって前記多桁入力画面を起動し、当該多桁入力画面の起動の後所定時間を経過した場合に前記多桁入力画面に入力された数字又は／及び文字によって特定される情報の再生を開始するようにする。
【００２５】
そして、前記数字又は／文字により特定される情報の再生は、前記所定時間の経過前であっても、前記リモコン装置による再生の指示により開始することを可能にしたり、前記リモコン装置の起動指示による多桁入力画面の表示時に、現在再生中の情報を特定する数字又は／及びを前記多桁入力画面に表示するようにするとよい。
【００２６】
また、前記モードを変更すると同時に、当該変更後のモードにかかる情報を再生するようにすると、当該被制御装置の使い勝手が向上する。
【００２７】
具体的には、前記変更後のモードにかかる情報は、過去に当該モードを再生した最後の情報としたり、予め定められたホームとなる番号により特定される情報とするとよい。
【００２８】
また、前記選択されたモードが再生すべき情報を特定するのに必要な桁数にのみ前記数字又は／及び文字を入力可能とするように、前記多桁入力画面を表示するとよい。
【００２９】
そうすれば、多桁入力画面において直ちに必要な桁数を判別できるとともに、不要な操作や誤作動を防止することができる。
【００３０】
または、前記多桁の入力位置のうち、未入力の位置を０と認識して前記再生すべき情報を特定して再生するとよい。
【００３１】
例えば、前記モードは、テレビ放送の形態を示すネットワークである構成とする。この場合、前記被制御装置は、テレビ受信装置とすればよい。
【００３２】
または、前記被制御装置は、カラオケ装置としてもよい。
【００３３】
そして、上記リモコン装置により制御される被制御装置と、当該被制御装置を遠隔制御するリモコン装置から構成されるリモート処理装置とする。
【００３４】
さらに、外部機器を接続可能であり、外部機器の情報を再生可能であるリモート処理装置とする。
【発明の効果】
【００３５】
本発明によれば、複数の再生すべき情報を有するモードから直接に情報を特定して再生するにあたって、迅速で確実な選択を行うことができる。
【発明を実施するための最良の形態】
【００３６】
本発明に係るリモコン装置、被制御機器及びリモート処理システムを、被制御機器がテレビ受信装置である場合を例にとって、以下説明する。
【００３７】
まず、これらの外観を図３及び４に示す。図４に示す本発明に係るリモコン装置１０は、被制御装置の電源のＯＮ、ＯＦＦを行う電源ボタン４１と、予め割当てられたチャンネルをダイレクトに選局するか、又はチャンネル番号及び各種数字情報を入力するための数字キー１１と、該数字キー１１や他のキーの操作結果をリモコン信号として送信する送信部１６と、前記入力したチャンネル番号や数字・文字情報等種々の入力情報の入力又は更新位置示すカーソルを、上下左右に移動する操作を行うカーソルキー１３と、チャンネル選局に際して、前記チャンネル番号を直接入力する「多桁入力モード」に移行する指示をする多桁入力キー１５と、前記数字キー１１により入力したチャンネルを確定する決定キー１２と、複数ある放送形態のうち何れの放送を受信するかを選択するネットワークキー４２と、被制御装置２０に接続された外部機器等の再生情報を表示する場合等に選択する外部入力・モードキー４３を備える。
【００３８】
なお、便宜のため、ネットワークキー４２と外部入力・モードキー４３とを併せてモード選択キー１４と称する。
【００３９】
本発明に係るテレビ受信装置２０は、前記リモコン装置１０の操作によって制御される被制御装置であり、前記リモコン装置１０からの前記リモコン信号を受信する受信部２１と、該受信部２１が受信した前記リモコン信号の内容を識別する識別部（図示せず）と、該識別部によって識別された前記リモコン信号に基づいて、チャンネル選局部に代表される回路部を制御する回路制御部（図示せず）とを備え、該回路制御部は、前記識別部により識別されたリモコン信号が前記カーソルキーの操作結果を示す信号であった場合、該カーソルキーの操作結果に応じて、既に受信済みで、表示部２５にＯＳＤ表示されている前記リモコン装置１０からの数字・文字情報の入力又は更新位置を移動し、しかる後に、前記リモコン装置１０から受信される数字キー１１の操作結果を示すリモコン信号によって移動したカーソル位置の数字情報の入力又は訂正をすることを可能としている。
【００４０】
また、本発明に係るリモート処理システム１００は、前記リモコン装置１０とテレビ受信装置２０とから構成され、リモコン装置１０の操作によってテレビ受信装置２０を遠隔操作するシステムである。その他、外部機器も接続することが可能である。
【００４１】
以下に、本発明に係るテレビ受信装置２０及びリモコン装置１０からなるリモート処理装置１００を、図面を参照しながら説明する。
【００４２】
図１は、本発明に係るリモート処理システム１００の要部の構成の一例を示すブロック図である。
【００４３】
図１に示すリモート処理システム１００は、遠隔操作を行うリモコン装置１０と、該リモコン装置１０の操作に応じて、対応する回路部等が制御される被制御機器２０（例えば、リモコン装置１０からの数字情報の信号及び数字情報を確定する信号により、指定されたチャンネル番号の番組を選局して画面表示するテレビ受信装置）とにより構成されている。
【００４４】
ここで、以下の説明においては、説明を簡素化するために、図１に示すリモート処理システム１００の被制御機器として、リモコン装置１０にて入力される数字情報により指定されたチャンネル番号のテレビ映像を受信するテレビ受信装置を例にとって示すが、本発明はかかる場合のみに限るものではなく、例えば、リモコン装置１０を用いて制御される被制御機器２０として、ＤＶＤ再生装置やビデオ再生装置やＰＣ（パーソナルコンピュータ）、その他各種の家電機器やホームセキュリティ機器、あるいは車載用電子機器等への適用が考えられる。
【００４５】
また、本実施の形態において、リモコン装置１０から入力されて訂正対象となる情報としては、説明を簡単にするために、テレビ受信装置におけるチャンネル番号を示す多桁の数字情報の場合について以下に説明する。但し、本発明は、かかる場合のみに限るものではなく、訂正対象とする情報としては、チャンネル番号に限らない他の数字情報であってもよいし、あるいは、場合によっては、数字情報ではなく、英字情報や文字情報が含まれているものであってもよく、複数の文字数（桁数）からなる情報であれば、如何なる情報であっても構わない。
【００４６】
図１に示すリモコン装置１０における符号１１は、所定の複数の桁数からなるチャンネル番号の各桁の数字情報を入力する数字キー（１、２、…、９、１０／０、１１、１２）であり、符号１２は、数字キー１１により入力された数字情報からなるチャンネル番号を確定する場合に操作する決定キーであり、符号１３は、数字キー１１により入力された数字情報からなるチャンネル番号を訂正するために訂正すべき桁位置へカーソルを移動させるカーソルキーである。
【００４７】
また、リモコン装置１０における符号１５は、チャンネル番号を２桁以上の所定の桁数からなる多桁数字情報として入力する多桁モードへ移行させる多桁入力キーであり、符号１７は、リモコン装置１０の各部を制御する制御部であり、符号１６は、数字キー１１、決定キー１２、カーソルキー１３、モード選択キー１４、多桁入力キー１５の操作結果を示すリモコン信号を、赤外線等の無線信号として、被制御機器２０に対して送信する送信部である。
【００４８】
また、図１に示すリモコン装置１０においては、決定キー１２や多桁入力キー１５などを、カーソルキー１３と共に、常に装備する場合を示しているが、本発明は、かかる場合に限るものではなく、必要に応じて、決定キー１２あるいはカーソルキー１３や多桁入力キー１５を装備するようにしても良い。
【００４９】
例えば、決定キー１２によらずにカーソルキー１２の「下」キーで選局するようにすれば、決定キー１２を省略することができる。
【００５０】
ただし、多桁入力キー１５を備えていると、当該キーを操作しないときは、リモコン装置に通常備わっている１から１２の数字キーを、予め記憶された特定のチャンネルを即座に直接選局するものとして機能させ、多桁入力キー１５を押下したときに初めて多桁入力モードに移行させるという選択ができ、数字キー１１によって必ず多桁入力モードに移行してしまって従来の数字キー１１のダイレクト選局の機能を失わせる、といった不都合が生じず非常に有益である。
【００５１】
次に、図１に示す被制御機器２０における符号２１は、リモコン装置１０の送信部１６より送信されてくる赤外線等の無線信号からなるリモコン信号を受信する受信部であり、符号２２は、受信部２１にて受信されたリモコン信号（例えばチャンネル番号）を記録するメモリ部２２である。
【００５２】
ここで、リモコン信号として、数字キー１１から入力されたチャンネル番号が受信されている場合、メモリ部２２にはチャンネル番号の各桁に対応してそれぞれ別個のメモリ領域に記録するように構成されている。図１においては、多桁の数字情報からなるチャンネル番号が３桁の数字情報である場合について例示している。即ち、メモリ部２２における符号２２ａは、チャンネル番号の１桁目の数字情報を記録する１桁目用メモリ領域であり、符号２２ｂは、チャンネル番号の２桁目の数字情報を記録する２桁目用メモリ領域であり、符号２２ｃは、チャンネル番号の３桁目の数字情報を記録する３桁目用メモリ領域である。
【００５３】
また、被制御機器２０における符号２３は、受信部２１により受信されたリモコン信号の内容を識別する識別部であり、符号２４は、設定された任意の経過時間を計時するタイマ部であり、符号２５は、受信されたリモコン信号に基づいて、指示されている画像（例えば、チャンネル番号が示す番組）やリモコン装置１０の操作を案内するチャンネルコールや、多桁入力画面などの各種情報を画面表示する表示部であり、符号２６は、受信されたリモコン信号に基づいて、当該被制御機器２０内部のチャンネル選局部（チューナ）など対応する回路部を制御する回路制御部である。即ち、回路制御部２６は、例えば、リモコン装置１０により指示されたチャンネル番号が示す番組を選局するために、図１に示していないチャンネル選局部（チューナ）を制御するものである。また、被制御機器２０における符号２７は、被制御機器２０の各部を制御する制御部である。
【００５４】
なお、図１に示す被制御装置２０においては、メモリ部２２を常に備えている場合を示しているが、本発明は、かかる場合に限るものではなく、必要に応じてメモリ部２２を備えるようにしてもよい。例えば、多桁モードのように、多くの桁数からなる数字情報をチャンネル番号として用いることがないような場合であれば、複数の桁数からなる数字情報を逐次記録するようなメモリ部２２の代わりに、リモコン装置１０からのチャンネル情報を一旦バッファリングすることが可能なバッファを備えるようにしてもよい。
【００５５】
また、メモリ部２２に記録される数字情報についても、チャンネル番号のみに限るものではなく、被制御装置２０内の各回路部の制御に用いる情報であれば、如何なる数字情報であってもよいし、前述したように、数字情報のみならず、任意の英字情報や文字情報を含む情報であっても構わなく、複数の文字数（桁数）からなる情報であれば、如何なる情報であってもよい。
【００５６】
次に、図１に示した本発明に係るリモコン装置１０の操作の一例について、被制御機器２０をテレビ受像機とした場合、リモコン装置１０の操作により、多桁数字情報からなるチャンネル番号を入力して、被制御機器２０であるテレビ受像機のチャンネル選局部（チューナ）を制御して、所望のチャンネル番号に切り換えさせるチャンネル選局動作を行う際の動作を、図２に示すフローチャートを参照して説明する。
【００５７】
まず、リモコン装置１０の多桁入力キー１５を操作すると、該操作結果は、リモコン装置１０の制御部１７を介して送信部１６より赤外線信号等のリモコン信号として、被制御機器２０に対して送信される。被制御機器２０の受信部２１にて多桁入力キー１５の操作を示すリモコン信号を受信すると、受信されたリモコン信号は、制御部２７を介して識別部２３により受信したリモコン信号が多桁入力キー１５の操作結果を示す信号であると判定され、制御部２７は、回路制御部２６を制御して、所定桁数のチャンネル番号を入力して選局動作を行う「多桁入力モード」に移行する（ＳＴ１）。
【００５８】
多桁入力モードに移行すると、以降に入力されてくる多桁数字情報からなるチャンネル番号の各桁の数字情報を格納する準備として、被制御機器２０の制御部２７によりメモリ部２２の各桁用の１，２，３桁目用メモリ領域２２ａ〜２２ｃの記録内容（即ち、前回入力されていたチャンネル番号等の記録内容）をクリアし（ＳＴ２）、更に、多桁の数字情報からなるチャンネル番号の各桁毎の数字情報の受信を待ち合わせる制限時間を計数するために、予め定めた所定の時間を計数するタイマ部２４をリセットして、記憶されていた待ち時間情報をクリアする（ＳＴ３）。
【００５９】
そして、表示部２５には該多桁入力のための入力画面をオンスクリーン表示等の手段により表示する（ＳＴ４）。当該多桁入力ＯＳＤ表示は、入力すべき桁数からなるチャンネル番号を入力するためのボックスと、ボックス内のどの桁に数次キー１１の入力結果を格納するかを示すカーソルからなる。このように、多桁数字情報の入力による入力開始状態としたうえで（ＳＴ４）、リモコン装置１０からのリモコン信号の受信を待つ（ＳＴ５）。
【００６０】
しかる後において、リモコン装置１０から送信されてきたリモコン信号を、被制御機器２０であるテレビ受信装置の受信部２１にて受信すると（ＳＴ６の「Ｙ」）、受信されたリモコン信号は、制御部２７を介して識別部２３によりその信号の種別が識別され、当該識別部２３において、受信したリモコン信号が数字キー１１の操作結果が数字情報であると判定した場合（ＳＴ７の「Ｙ」）、制御部２７を介して、受信した数字情報を、メモリ部２２の１，２，３桁目メモリ領域２２ａ〜２２ｃのうち対応する桁位置のメモリ領域に記録する（ＳＴ８）。
【００６１】
ここでは、説明便宜のため、１桁目を一番左の桁、２桁目をひとつ右隣の桁・・・というように考える。よって、「次の桁」とは「一つ右隣の桁」である。
【００６２】
そして、次の桁位置の数字情報を待ち合わせるために、ステップＳＴ３に復帰して、タイマ部２４をリセットして、記憶されている待ち時間情報をクリアし（ＳＴ３）、次の桁位置の数字情報に関して、リモコン装置１０の数字キー１１の入力位置を示すカーソル表示を、表示部２５にて画面表示して（ＳＴ４）、リモコン装置１０からのリモコン信号の受信待ち状態とする（ＳＴ５）。ここでは、ＳＴ８からＳＴ３に復帰する過程において、表示部２５にて表示されている多桁入力ＯＳＤ表示の入力すべきカーソル位置を、自動的に移動（例えば、１桁目を入力した直後にカーソルを２桁目に自動的に移動）することとするが、カーソルの自動移動がなくとも、カーソルキー１３の操作により任意位置を指定できることは言うまでもない。
【００６３】
かくのごとく、数字キー１１（及びカーソルキー１３）の操作をチャンネル番号の所定桁数分繰返すことにより、多桁数字からなるチャンネル番号として予め定められた所定の桁数の数字情報を入力した後、リモコン装置１０の決定キー１２が操作される。
【００６４】
該操作結果は、リモコン装置１０の制御部１７を介して送信部１６より赤外線信号等のリモコン信号として、被制御機器（テレビ受信装置）２０に対して送信される。リモコン装置１０から送信されてきたリモコン信号を、被制御機器２０であるテレビ受像機の受信部２１にて受信すると（ＳＴ６の「Ｙ」）、受信したリモコン信号は、制御部２７を介して識別部２３によりその信号の種別が識別され、当該識別部２３において、受信したリモコン信号が数字情報ではなく（ＳＴ７の「Ｎ」）、決定キー１２の操作結果であると判定され（ＳＴ１５の「Ｙ」）、多桁入力キー１５の操作結果を示す信号の受信から決定キー１２の受信までの間に受信されている数字キー１１の操作結果による数字情報の桁数が、チャンネル番号として予め定められている所定桁数と一致しているか否かを確認する（ＳＴ１０）。
【００６５】
該所定桁数と一致していれば（ＳＴ１０の「Ｙ」）、メモリ部２２の１，２，３桁目用メモリ領域２２ａ〜２２ｃにそれぞれ記録されている数字情報をチャンネル番号として読み出して、回路制御部２６に対して出力する。回路制御部２６は、入力されてきたチャンネル番号に基づいて、チャンネル選局部（チューナ）を制御して、所望のチャンネルへチャンネルを切り換える選局動作を行ない（ＳＴ１１）、所望のチャンネルの番組を受信して、表示部２５により、受信した番組の内容を画面表示して、多桁入力による該選局動作を終了する（ＳＴ１２）。このとき、多桁入力ＯＳＤ表示を非表示とする（ＳＴ１４）。
【００６６】
一方、多桁入力ＯＳＤ表示を表示部２５に表示して（ＳＴ４）、リモコン装置１０からのリモコン信号の受信待ち状態とした後（ＳＴ５）、リモコン装置１０からリモコン信号が受信されず（ＳＴ６の「Ｎ」）、ステップＳＴ３にてリセットして計時を開始したタイマ部２４が、予め定められた所定の時間経過してタイムオーバとなった場合（ＳＴ９の「Ｙ」）には、決定キー１２の操作結果が受信された場合（ＳＴ１５の「Ｙ」）と同様に、多桁入力キー１５の受信からタイムオーバまでの間に受信されている数字キー１１を操作した結果、入力された数字情報の桁数が、チャンネル番号として予め定められている所定桁数と一致しているか否かを確認する動作（ＳＴ１０）がなされ、該所定桁数と一致していれば（ＳＴ１０の「Ｙ」）、メモリ部２２の１，２，３桁目用メモリ領域２２ａ〜２２ｃにそれぞれ記録されている数字情報に基づくチャンネル選局動作が行なわれる（ＳＴ１１，ＳＴ１２）。
【００６７】
すなわち、表示部２５にて、多桁入力ＯＳＤ表示した以降、予め定められた所定の時間が経過したことがタイマ部２４にて検知された場合、被制御機器２０の回路制御部２６は、該所定の時間が経過するまでの間に、既に受信済みの数字情報に基づいて、対応する回路部であるチャンネル選局部（チューナ）を制御する動作を起動する。
【００６８】
一方、ステップＳＴ１０において、多桁入力キー１５の受信から決定キー１２の押下によるリモコン信号の受信までの間に、あるいは、多桁入力キー１５の受信からタイムオーバが発生するまでの間に、入力された数字情報の桁数が、チャンネル番号として予め定められている所定桁数と一致していなかった場合（ＳＴ１０の「Ｎ」）、回路制御部２６によってチャンネルを切り換えるチャンネル選局動作を実行することなく、多桁モードによる選局動作を終了する（ＳＴ１４）。
【００６９】
更に、ステップＳＴ６においてリモコン信号が受信されたと判定されて（ＳＴ６の「Ｙ」）、識別部２３により識別された該リモコン信号が、数字情報ではなく（ＳＴ７の「Ｎ」）、かつ、決定キー１２の操作結果でもないと判定した場合（ＳＴ１５の「Ｎ」）、該リモコン信号が、チャンネル番号の一部として既に入力済みの数字情報を訂正するための桁位置を移動させるカーソルキー１３の「左」キーの操作結果であるか判定する（ＳＴ１６）。該リモコン信号がカーソルキー１３の「左」キーの操作結果であると判定した場合（ＳＴ１６の「Ｙ」）、チャンネル番号として入力途中にある数字情報の現在の桁位置を既入力済みの一つ前の桁位置に戻し、メモリ部２２の１，２，３桁目用メモリ領域２２ａ〜２２ｃのいずれかに記録しようとしている現在の桁位置の一つ前に入力された桁位置を示すメモリ領域に対して、アクセスするように変更する（ＳＴ１６）。
【００７０】
しかる後、戻された桁位置の数字情報を訂正入力させるために、ステップＳＴ３に復帰して、タイマ部２４をリセットして、記憶されている待ち時間情報をクリアし（ＳＴ３）、多桁入力ＯＳＤ表示を、表示部２５にて表示して（ＳＴ４）、リモコン装置１０からのリモコン信号の受信待ち状態とする（ＳＴ５）。
【００７１】
以降、ステップＳＴ６〜ＳＴ８の各ステップにより新しく受信した訂正用の数字情報を、一つ前の桁位置に戻して設定されているメモリ部２２の１，２，３桁目用メモリ領域２２ａ〜２２ｃのいずれかのメモリ領域に記録し直した後、更に、ステップＳＴ３に復帰して、次のリモコン信号の入力を待ち合わせる状態に移行する。
【００７２】
ここで、次に受信されたリモコン信号もカーソルキー１３の「左」キーの操作結果であった場合（ＳＴ６の「Ｙ」、かつ、ＳＴ７の「Ｎ」、かつ、ＳＴ１５の「Ｎ」、かつ、ＳＴ１６の「Ｙ」）、更に一つ前の既入力済みの桁位置に戻し、メモリ部２２の１，２，３桁目用メモリ領域２２ａ〜２２ｃのいずれかに記録し直した訂正後の現在の桁位置から更に一つ前の桁位置を示すメモリ領域に対してアクセスするように変更する（ＳＴ１６）。
【００７３】
そして、任意の桁位置まで遡って、多桁数字情報からなるチャンネル番号の各桁位置のいずれの数字情報であっても、直ちに訂正することが可能である。
【００７４】
前述のように、任意の桁位置まで遡って、チャンネル番号として入力中の数字情報を訂正した後、まだ未入力となっている下位の桁位置の数字情報が残っている場合、又は、既に入力済みになっている下位の桁位置の数字を訂正したい場合、又は、既に入力済みの数字情報をチャンネル番号として決定したい場合、次の桁位置の数字情報や決定指示情報を待ち合わせるために、ステップＳＴ３に復帰して、タイマ部２４をリセットして、記憶されている待ち時間情報をクリアし（ＳＴ３）、多桁入力ＯＳＤ表示を、表示部２５にて画面表示して（ＳＴ４）、リモコン装置１０からのリモコン信号の受信待ち状態となる（ＳＴ５）。かかる状態において、次に、数字キー１１でもなく、決定キー１２でもなく、右キー１４が操作された場合、当該右キー１４の操作結果は、リモコン装置１０の制御部１７を介して送信部１６より赤外線信号等のリモコン信号として、被制御機器２０のテレビ受信装置に対して送信される。
【００７５】
リモコン装置１０から送信されてきたリモコン信号を、被制御機器２０であるテレビ受信装置の受信部２１にて受信すると（ＳＴ６の「Ｙ」）、受信されたリモコン信号は、制御部２７を介して識別部２３により識別される。当該識別部２３において、受信したリモコン信号が、数字キー１１の操作結果である数字情報の信号でなく、決定キー１２でもなく、カーソルキー１３の「左」キーでもなく、カーソルキー１３の「右」キーの操作結果であると判定した場合（ＳＴ７の「Ｎ」、かつ、ＳＴ１５の「Ｎ」、かつ、ＳＴ１６の「Ｎ」、かつ、ＳＴ１８の「Ｙ」）、メモリ部２２の１，２，３桁目用メモリ領域２２ａ〜２２ｃのいずれかに記録しようとしている現在の桁位置の次の桁位置を示すメモリ領域に対してアクセスするように変更する（ＳＴ１９）。
【００７６】
しかる後、次の桁位置の数字情報を数字キー１１から訂正入力させるか、又は、右キー１４により更に先の桁位置まで移動させるために、ステップＳＴ３に復帰して、タイマ部２４をリセットして、記憶されている待ち時間情報をクリアし（ＳＴ３）、多桁入力ＯＳＤ表示を、表示部２５にて画面表示して（ＳＴ４）、リモコン装置１０からのリモコン信号の受信待ち状態とする（ＳＴ５）。
【００７７】
ここで、次に受信されたリモコン信号がカーソルキー１３の「右」キーの操作結果であった場合（ＳＴ６の「Ｙ」、かつ、ＳＴ７の「Ｎ」、かつ、ＳＴ１５の「Ｎ」、かつ、ＳＴ１６の「Ｎ」、かつ、ＳＴ１８の「Ｙ」）、更に一つ先の既入力済みの桁位置にまで進み、メモリ部２２の１，２，３桁目用メモリ領域２２ａ〜２２ｃのいずれかに移動した現在の桁位置から更に一つ先の桁位置を示すメモリ領域に対してアクセスするように変更する（ＳＴ１９）。
【００７８】
このようにすれば、既入力済みの数字情報の任意の桁位置まで先に進んで、多桁数字情報から構成されるチャンネル番号の各桁位置のいずれの数字情報であっても、直ちに訂正することが可能である。あるいは、前述したように、任意の桁位置まで遡って、チャンネル番号として入力中の数字情報を訂正した後、まだ未入力となっている下位の桁位置の数字情報が残っている場合であれば、下位の該桁位置に至るまで、カーソルキー１３の「右」キーを連続して操作することにより、次に入力すべき数字情報の桁位置まで素早く復帰することが可能である。
【００７９】
以上のごとく、回路制御部２６は、メモリ部２２に記録されている数字情報に基づいて、チャンネル選局部（チューナ）など対応する回路部を制御して、チャンネル選局動作を行うことが可能であり、また、リモコン装置１０のカーソルキー１３の「左」キー及び「右」キーの操作結果に応じて、対応する各桁位置の数字情報を格納しているメモリ領域２２ａ〜２２ｃのいずれかに、アクセス位置を移動させて、数字キー１１を操作して、移動したアクセス位置のメモリ領域に記録されている数字情報を直ちに訂正することができる。
【００８０】
なお、図２に示す例においては、タイム部２４でタイムオーバが検知された場合（ＳＴ９の「Ｙ」）、又は、識別部２３で決定キー１２が入力された場合（ＳＴ１５の「Ｙ」）に初めて、ステップＳＴ１０において、既に入力済みの数字情報の桁数が、予め定められた所定の桁数に一致しているか否かを判定している場合を示したが、本発明は、かかる動作に限るものではない。
【００８１】
例えば、ステップＳＴ８において、受信した数字をメモリ部２２に桁位置毎に記録する動作を行うのに先立って、予め定められた所定の桁数の数字情報が入力されているか否かを判定して、所定の桁数の数字情報が入力された場合には、その旨を表示部２５により画面表示すると共に、直ちにステップＳＴ１１に移行して、入力された数字情報が示すチャンネル番号に基づいて、チャンネルを切り換えるチャンネル選局動作を行なわせるようにしてもよい。
【００８２】
次に、上述した内容の入力・訂正の例を、多桁入力ＯＳＤ表示の変遷を図５を参照して説明する。ここでは例として、放送形態がＢＳである場合の多桁チャンネル番号入力を説明する。
【００８３】
＜５−１＞は、図２のステップＳＴ５で表示される多桁入力ＯＳＤ表示のデフォルト画面である。当該多桁入力ＯＳＤ表示は、図５の＜５−１＞に示すとおり、大・小２つのボックスからなり、小のボックスにはＢＳ放送のチャンネルを特定するのに必要な桁数分の３つの「−」が表示され、大のボックスの中に収まるようにして表示されている。大のボックスには、何れのモードを選択しているかを示す表示がなされ、本実施の形態ではＢＳ放送を示す「ＢＳ」の表示がなされている。そして、小のボックスの最初に入力すべき桁位置（５−１では１桁目）にカーソルが表示されている。そして、小のボックスから大のボックスにカーソルを移動できないものとして説明する。
【００８４】
まず、リモコン装置１０の多桁入力キー１５を押下すると、メモリ部２２の記録及びタイマ部２４のカウントがクリアされ（図２のＳＴ２、ＳＴ３）、表示部２５に上記多桁入力ＯＳＤ表示がなされる（図２のＳＴ４）。このとき、初めに入力すべき桁位置である１桁目（百の位）にカーソルが表示されている＜５−１＞。
【００８５】
次に、１桁目（百の位）の数字情報として数字キー１１の「１」キーを押下すると、１桁目用メモリ領域２２ａに「１」が格納されるとともに、多桁入力ＯＳＤ表示では、１桁目に「１」が表示されて、次に入力すべき桁位置である２桁目（十の位）にカーソルが移動して表示される（図２のＳＴ６の「Ｙ」、ＳＴ７「Ｙ」、ＳＴ８、ＳＴ３への復帰過程におけるカーソルの自動移動）＜５−２＞。
【００８６】
同様に、数字キー１１の「１０／０」キー、「２」キーと連続して押下すると、２桁目用メモリ領域２２ｂに「０」、３桁目用メモリ領域２２ｃに「２」が格納されるとともに、多桁入力ＯＳＤ表示では、２桁目（十の位）に「０」、３桁目（一の位）に「２」が表示される＜５−３＞。このとき、カーソルは３桁目より右には移動できないことから、一の位に表示したままとなる。
【００８７】
そして、タイマ部２４にてカウントしている時間が所定時間を超えないうちに（図２のＳＴ９で「Ｙ」とならない時間内に）、カーソルキー１３の「左」キーを２度押下すると、カーソル位置が、１桁目（百の位）位置まで移動し、各桁の数字は、表示されたままとなり、メモリ部２２の内容も保持されたままの状態となる＜５−４＞。
【００８８】
そして、数字キー１１の「２」キーを押下すると、１桁目用メモリ領域２２ａに「２」が格納される（更新される）とともに、チャンネルコール表示では、１桁目（百の位）に「２」が表示された状態となる＜５−５＞。
【００８９】
この状態で、決定キー１２を押下する（図２のＳＴ１５）か、所定時間何も操作しない状態でいる（図２のＳＴ９、ＳＴ１０）と、「ＢＳ２０２ｃｈ」が選局され（図２のＳＴ１１）、当該放送が表示部２５に表示されることとなる。なお、上述したように前記決定キー１２の代わりにカーソルキー１３の「下」キーによって選局されてもよい。
【００９０】
以上により、任意のチャンネルをダイレクトで選局する際に、入力したチャンネル番号を即時に選局するのではなく、一定時間を経過するまでは選局されないようにして、既入力のチャンネル番号を訂正する時間を確保する一方で、決定ボタン１２により、記入力のチャンネル番号に即時選局できるようにしたから、チャンネル番号の桁数が今後ますます増加する傾向にあっても、ダイレクト選局におけるユーザビリティを格段に向上させることができる。
【００９１】
また、多桁入力の開始は、多桁入力キー１５の押下によって開始されるため、通常１２個キーからなる数字キー１１は、予め特定されたダイレクト選局をするように機能し、ダイレクト選局と、多桁入力を適宜使い分けることが可能である。また、訂正キーのようなものを設けることなく上記ユーザビリティの向上を実現することができるも。
〔第２の実施の形態〕
次に、本発明に係る第２の実施の形態について説明する。外観及びブロック図は、図１、３、４と同様である。本実施の形態では、図２に示す動作においてステップＳＴ２を省略する点に特徴がある。
【００９２】
本実施の形態を、多桁入力ＯＳＤ表示の変遷を示した図６を参照して説明する。
【００９３】
まず、多桁入力キー１５の押下により多桁入力による選局を開始する（図２のＳＴ１）と、図２のステップＳＴ２は省略されているため、入力記録をクリアせずに、現在視聴しているチャンネル番号をそのまま多桁入力ＯＳＤ表示する（図６ではＢＳ１０２ｃｈを視聴していた例を示している）＜６−１＞。
【００９４】
同時に、最初に入力すべき桁位置にカーソルを表示する。図５の例では、最初に入力すべき桁位置を１桁目（百の位）としたが、本実施の形態においては、最初に入力すべき桁位置を３桁目（一の位）としている。なお、最初に入力すべき桁位置を何れの桁に設定するかは任意に設計すればよい。
【００９５】
この状態で、カーソルキー１３の「左」キーを２回連続して押下すると、多桁入力ＯＳＤ表示のカーソル位置は、２桁目（十の位）、１桁目（百の位）と移動する＜６−２＞＜６−３＞。各桁の数次情報の表示は保持されたままである。
【００９６】
そして、この状態で数次キー１１の「２」キーを押下すると、１桁目用メモリ領域２２ａに「２」が格納されるとともに、多桁入力ＯＳＤ表示では、１桁目が「２」の表示に更新される。
【００９７】
そして、この状態で、決定キー１２を押下する（図２のＳＴ１５）か、所定時間何も操作しない状態でいる（図２のＳＴ９、ＳＴ１０）と、「ＢＳ２０２ｃｈ」が選局され（図２のＳＴ１１）、当該チャンネルの放送内容が表示部２５に表示されることとなる。
【００９８】
本実施の形態によれば、現在視聴しているチャンネル番号と１桁違いのチャンネル番号に素早くダイレクトに選局が可能であるとともに、チャンネル番号入力の訂正も容易にでき、ユーザビリティを向上させることができる。
〔第３の実施の形態〕
次に、本発明に係る第３の実施の形態について説明する。外観及びブロック図は、図１、３、４と同様である。本実施の形態では、図２に示す動作においてステップＳＴ１０を省略し、ステップＳＴ１１に移行する過程において、数次情報が未入力の桁を「０」と置き換えてチャンネルを選局する等の処理を行う点に特徴がある。
【００９９】
本実施の形態を、多桁入力ＯＳＤ表示の変遷を示した図７を参照して説明する。
【０１００】
まず、リモコン装置１０の多桁入力キー１５を押下すると、メモリ部２２の記録及びタイマ部２４のカウントがクリアされ（図２のＳＴ２、ＳＴ３）、表示部２５に上記多桁入力ＯＳＤ表示がなされる（図２のＳＴ４）。このとき、初めに入力すべき桁位置である１桁目（百の位）にカーソルが表示されている＜７−１＞。
【０１０１】
続いて、１桁目で数字キー１１を何も操作せず、カーソルキー１３の「右」キーを押下すると、カーソルが２桁目に移動する＜７−２＞。
【０１０２】
次に、２桁目（十の位）の数字情報として数字キー１１の「１」キーを押下すると、２桁目用メモリ領域２２ｂに「１」が格納されるとともに、多桁入力ＯＳＤ表示では、２桁目に「１」が表示されて、次に入力すべき桁位置である３桁目（一の位）にカーソルが表示される（図２のＳＴ６の「Ｙ」、ＳＴ７「Ｙ」、ＳＴ８、ＳＴ３への復帰過程におけるカーソルの自動移動）＜７−３＞。
【０１０３】
同様に、数字キー１１の「２」キーを押下すると、３桁目用メモリ領域２２ｃに「２」が格納されるとともに、多桁入力ＯＳＤ表示では、３桁目（一の位）に「２」が表示される＜７−４＞。このとき、カーソルは３桁目より右には移動できないことから、一の位に表示したままとなる。
【０１０４】
そして、本実施の形態においては、この状態で決定キー１２を押下するか、何のキーも操作しないでいると、図２におけるステップＳＴ９からステップＳＴ１０への移行時に、ステップＳＴ１０において入力すべき桁数の確認を行わず、未入力の桁のメモリを全て「０」を格納し、選局する（図２のＳＴ１２）。図７の例では、「ＢＳ０１２ｃｈ」と自動的に認識されて、選局される＜７−５＞。
【０１０５】
なお、上記では未入力の桁のメモリを全て「０」に置き換える例を示したが、好みによって、「１」に置き換えるなどの設定をしていても構わない。このようにすれば、１００チャンネル台の視聴を主とするユーザ等にとっては、逐一、１桁目に数字を入力する必要もなく、選局動作が容易となる。
【０１０６】
また、未入力の桁を無視して、左側もしくは右側に詰めてチャンネルを選局をするようにしてもよい。例えば、＜７−３＞の状態において、決定キー１２を押下することにより、「ＢＳ００１ｃｈ」あるいは「ＢＳ１００ｃｈ」を選局するようにしていてもよい。
【０１０７】
以上によれば、チャンネル番号を直接入力するにあたって、チャンネル番号の桁数がますます増加したとしても、必要桁のみを入力することで選局を行うことができるので、選局動作を簡略化することができる。特に、ユーザが任意に当該機能を設定することができるようにしておくと、格段に操作性が向上する。
〔第４の実施の形態〕
次に、本発明の第４の実施の形態について説明する。本実施の形態にかかるリモコン装置１０、被制御機器２０としてのテレビ受信装置、リモート処理システム１００の外観図は、図３及び４と同様である。
【０１０８】
本実施の形態にかかるリモート処理システム１００のブロック図を図８に示す。図１と異なる点は、被制御機器２０としてのテレビ受信装置が「モードメモリ領域２８」を有する点である。当該モードメモリ領域２８は、図４のネットワークキー４２と外部入力・モードキー４３とを併せたキー（モード選択キー１４）のうち何れのキーを選択しているかの識別情報を記憶するメモリ領域である。
【０１０９】
このようなリモート処理システム１００の動作を示すフローチャートは図９の通りである。第３の実施の形態までに用いた図２に示すフローチャートとは、ステップＳＴ２１及びＳＴ２２の過程が新たに挿入されている点で異なる。すなわち、ステップＳＴ２１にてモード選択キー１４の何れかが押下された場合は、ステップ２２で押下されたモード選択キーのモード情報をモードメモリ領域２８に保存したうえで、ステップＳＴ３に戻る。
【０１１０】
本実施の形態を、多桁入力ＯＳＤ表示の変遷を示した図１０を参照して説明する。
【０１１１】
まず、リモコン装置１０の多桁入力キー１５を押下すると、メモリ部２２の記録及びタイマ部２４のカウントがクリアされ（図９のＳＴ２、ＳＴ３）、表示部２５に上記多桁入力ＯＳＤ表示がなされる（図９のＳＴ４）。このとき、初めに入力すべき桁位置である１桁目（百の位）にカーソルが表示されている＜１０−１＞。
【０１１２】
次に、１桁目（百の位）の数字情報として数字キー１１の「１」キーを押下すると、１桁目用メモリ領域２２ａに「１」が格納されるとともに、多桁入力ＯＳＤ表示では、１桁目に「１」が表示されて、次に入力すべき桁位置である２桁目（十の位）にカーソルが表示される（図９のＳＴ６の「Ｙ」、ＳＴ７「Ｙ」、ＳＴ８、ＳＴ３への復帰過程におけるカーソルの自動移動）＜１０−２＞。
【０１１３】
同様に、数字キー１１の「１０／０」キーを押下すると、２桁目用メモリ領域２２ｂに「０」が格納されるとともに、多桁入力ＯＳＤ表示では、２桁目（十の位）に「０」が表示される＜１０−３＞。
【０１１４】
ここで、モード選択キー１４のうち、ネットワークキー４２の「地上Ｄ」キーを押下すると、モードメモリ領域２８に「地上Ｄ」の識別情報が記憶されるとともに、多桁入力ＯＳＤ表示の大のボックスに表示されているモード選択情報の表示が「地上Ｄ」に変更される。
【０１１５】
なお、このときカーソル位置は維持されたままである。すなわち、モード選択キー１４を押下したときは、カーソル位置に関わらず現在の数字情報等の入力状態を維持しつつ、モード情報のみが変更される。
【０１１６】
そして、現在のカーソル位置である３桁目（一の位）にカーソルが位置している状態において、数字キー１１の「３」キーを押下すると、３桁目用メモリ領域２２ｃに「３」が格納されるとともに、多桁入力ＯＳＤ表示では、３桁目（一の位）に「３」が表示される＜１０−５＞。
【０１１７】
そしてこの状態で、決定キー１２を押下する（図９のＳＴ１５）か、所定時間何も操作しない状態でいる（図９のＳＴ９、ＳＴ１０）と、「地上Ｄ１０３ｃｈ」が選局され（図９のＳＴ１１）、当該放送の内容が表示部２５に表示されることとなる。
【０１１８】
以上のように、本実施の形態によれば、もともと備わっているモード選択キー１４のうち主にネットワークキー４２によって、ネットワークの選択及び訂正を含めて行うことができるようにし、ますます複雑化する放送形態に対応できるようにした。これにより、ネットワークを超えた素早いダイレクト選局が可能となり、ユーザビリティを向上させることができる。
【０１１９】
なお、本実施形態において、ネットワークの切り換わりを意識させる目的で、ネットワークキー４２を押下してネットワークが変更するたびに、選局動作をするようにしてもよい。具体的には、ネットワークキー４２を押下した結果の、＜１０−３＞から＜１０−４＞への過程において、例えば、過去に地上Ｄを視聴した最後のチャンネルに選局される動作が挿入されていてもよい。この場合でも、多桁入力ＯＳＤ表示はされたままとし、多桁入力の状態を保持していれば、続けて入力及び訂正が可能である。上記途中に選局されるチャンネルは、過去に地上Ｄを視聴した最後のチャンネルに特定されず、ユーザが好みでデフォルトに登録しているチャンネル等であってもよい。
【０１２０】
さらに、〔第２の実施の形態〕及び〔第３の実施の形態〕で説明したように、図９におけるステップＳＴ２やステップＳＴ１０を省略してもよい。
〔第５の実施の形態〕
次に、本発明の第５の実施の形態について説明する。本実施の形態にかかるリモコン装置１０、被制御機器２０としてのテレビ受信装置、リモート処理システム１００の外観図は、図３及び４と同様であり、ブロック図及びフローチャートは図８及び９と同様である。第４の実施の形態と異なるのは、カーソルの位置が、多桁入力ＯＳＤ表示の小のボックスを越えて、大のボックスのモードの表示部分にも移動可能であり、カーソル位置が小のボックスに位置するときは、モード選択キー１４を押下しても入力、変更できず、カーソル位置が大のボックスに位置するときは、モード選択キー１４のみでモードの変更可能である点である。
【０１２１】
本実施の形態を、多桁入力ＯＳＤ表示の変遷を示した図１１を参照して説明する。
【０１２２】
まず、リモコン装置１０の多桁入力キー１５を押下すると、メモリ部２２の記録及びタイマ部２４のカウントがクリアされ（図９のＳＴ２、ＳＴ３）、表示部２５に上記多桁入力ＯＳＤ表示がなされる（図９のＳＴ４）。このとき、初めに入力すべき桁位置である１桁目（百の位）にカーソルが表示されている＜１１−１＞。
【０１２３】
次に、１桁目（百の位）の数字情報として数字キー１１の「１」キーを押下すると、１桁目用メモリ領域２２ａに「１」が格納されるとともに、多桁入力ＯＳＤ表示では、１桁目に「１」が表示されて、次に入力すべき桁位置である２桁目（十の位）にカーソルが表示される（図９のＳＴ６の「Ｙ」、ＳＴ７「Ｙ」、ＳＴ８、ＳＴ３への復帰過程におけるカーソルの自動移動）＜１１−２＞。
【０１２４】
同様に、数字キー１１の「１０／０」キーを押下すると、２桁目用メモリ領域２２ｂに「０」が格納されるとともに、多桁入力ＯＳＤ表示では、２桁目（十の位）に「０」が表示される＜１１−３＞。
【０１２５】
続いて、カーソルキー１３の「上」キーを押下すると、カーソルが、小のボックスを越えて、大のボックスに移動する＜１１−４＞。カーソルキー１３の「上」キーを押下する代わりに、カーソルキー１３の「左」キーを３回連続押下するか、カーソルキー１３の「右」キーを１回ことによって、カーソルが大のボックスに移動するように設計してもよい。また、このとき小のボックス内の途中入力状態は保持されたままである。
【０１２６】
カーソルキーが大のボックスにあるときに、ネットワークキー４２のうち「地上Ｄ」キーを押下すると、モードメモリ領域２８に「地上Ｄ」の識別情報が記憶されるとともに、多桁入力ＯＳＤ表示の大のボックスに表示されているモード選択情報の表示が「地上Ｄ」に変更される＜１１−５＞。
【０１２７】
そして、カーソルキー１３の「下」キーを押下すると、カーソルが、大のボックスから大のボックスのもとのカーソル位置（大のボックスに移動する直前の位置）に移動する＜１１−６＞。
【０１２８】
残りの３桁目（一の位）にカーソルが位置するときに、数字キー１１の「３」キーを押下し、決定キー１２を押下する（図９のＳＴ１５）か、所定時間何も操作しない状態でいる（図９のＳＴ９、ＳＴ１０）と、「地上Ｄ１０３ｃｈ」が選局され（図９のＳＴ１１）、当該放送の内容が表示部２５に表示されることとなる。
【０１２９】
なお、〔第２の実施の形態〕及び〔第３の実施の形態〕で説明したように、図９におけるステップＳＴ２やステップＳＴ１０を省略してもよい。
【０１３０】
以上、本実施の形態によれば、誤ってモード選択キー１４を押下してしまった場合でも、即時に大のボックス内のモード表示が切り替わらず、ユーザのカーソル操作により確実な認識の下でのダイレクト選局が可能となる。
〔第６の実施の形態〕
次に、本発明の第６の実施の形態について説明する。本実施の形態にかかるリモコン装置１０、被制御機器２０としてのテレビ受信装置、リモート処理システム１００の外観図は、図３及び４と同様であり、ブロック図は図８と同様である。
【０１３１】
図１２に示すように、第４の実施の形態と異なるのは、図９のフローチャートにおいて、ステップ２１においてモード選択キー１４を押下し、ステップＳＴ２２でモード情報をモードメモリ領域２８に保存した後、ステップＳＴ３に復帰するのではなく、ステップＳＴ２に復帰する点である。
【０１３２】
本実施の形態を、多桁入力ＯＳＤ表示の変遷を示した図１３を参照して説明する。
【０１３３】
まず、リモコン装置１０の多桁入力キー１５を押下すると、メモリ部２２の記録及びタイマ部２４のカウントがクリアされ（図１２のＳＴ２、ＳＴ３）、表示部２５に上記多桁入力ＯＳＤ表示がなされる（図１２のＳＴ４）。このとき、初めに入力すべき桁位置である１桁目（百の位）にカーソルが表示されている＜１３−１＞。
【０１３４】
次に、１桁目（百の位）の数字情報として数字キー１１の「１」キーを押下すると、１桁目用メモリ領域２２ａに「１」が格納されるとともに、多桁入力ＯＳＤ表示では、１桁目に「１」が表示されて、次に入力すべき桁位置である２桁目（十の位）にカーソルが表示される（図１２のＳＴ６の「Ｙ」、ＳＴ７「Ｙ」、ＳＴ８、ＳＴ３への復帰過程におけるカーソルの自動移動）＜１３−２＞。
【０１３５】
同様に、数字キー１１の「１０／０」キーを押下すると、２桁目用メモリ領域２２ｂに「０」が格納されるとともに、多桁入力ＯＳＤ表示では、２桁目（十の位）に「０」が表示される＜１３−３＞。
【０１３６】
ここで、モード選択キー１４のうち、ネットワークキー４２の「地上Ｄ」キーを押下すると、モードメモリ領域２８に「地上Ｄ」の識別情報が記憶されるとともに、多桁入力ＯＳＤ表示の大のボックスに表示されているモード選択情報の表示が「地上Ｄ」に変更される（図１２のＳＴ２２）。そして、同時にメモリ部２２内の内容がクリアされ（図１２のＳＴ２）、多桁入力ＯＳＤ表示における小のボックス内の数字情報等は、初期表示状態の「‐」表示が表示され、カーソル位置はデフォルト位置である１桁目に戻される＜１３−４＞。
【０１３７】
そして、数字情報等の入力も初めから入力をし直すことになり、例えば、数字キー１１を「２」キー、「８」キーと連続して押下すると、１桁目用メモリ領域２２ｂに「２」、３桁目用メモリ領域２２ｃに「８」が格納されるとともに、多桁入力ＯＳＤ表示では、１桁目（百の位）に「２」、２桁目（十の位）に「８」が表示される＜１３−５＞。
【０１３８】
続けて、３桁目（一の位）にカーソルが位置するときに、数字キー１１の「５」キーを押下し＜１３−６＞、決定キー１２を押下する（図１２のＳＴ１５）か、所定時間何も操作しない状態でいる（図１２のＳＴ９、ＳＴ１０）と、「地上Ｄ２８５ｃｈ」が選局され（図１２のＳＴ１１）、当該放送の内容が表示部２５に表示されることとなる。
【０１３９】
以上、本実施の形態によれば、モード選択キー１４に数字情報等の途中の入力情報をクリアする機能をもたせることにより、ネットワーク等が変更するたびに全ての数字情報を一気にクリアすることができ、一部訂正を考慮する煩わしさを回避することができる。当該実施の形態を用いるか否かを、ユーザが設定できるようにしておくと有効である。
【０１４０】
なお、〔第２の実施の形態〕及び〔第３の実施の形態〕で説明したように、図９におけるステップＳＴ２やステップＳＴ１０を省略してもよい。
【０１４１】
さらに、本実施の形態は、〔第５の実施の形態〕と組み合わせるとさらなる効力を発揮する。すなわち、ユーザによっては、モードを選択しなおすたびに上述のように小のボックス内の数字情報等をクリアしたいか否かが異なる。よって、〔第５の実施の形態〕においては、大のボックス内にカーソルがあるときのみ、モードの変更を可能としたが、これを大のボックス内にカーソルがあるときにモード選択キー１４を押下した場合は、数字情報等の入力状態を保持したままモードを変更し、カーソルが大のボックス内にないときにモード選択キー１４を押下した場合は、本実施の形態のように、小のボックス内の数字情報等をクリアするようにすれば、数字情報等の途中入力状態を保持したままモードを変更することと、モード選択キー１４により、数字情報等の途中入力状態をクリアすることの両方を選択可能となる。
〔第７の実施の形態〕
次に、本発明の第７の実施の形態について説明する。これまでの実施の形態では、モード選択キー１４のうち、ネットワークキー４２を用いて、種々の放送形態に対応したダイレクト選局を容易に行う例について説明を行ったが、本実施の形態においては、モード選択キー１４のうち、外部入力・モードキー４３を用いて、所望の外部入力情報のコンテンツ等を選択する例について説明する。本実施の形態にかかるリモコン装置１０、被制御機器２０としてのテレビ受信装置、リモート処理システム１００の外観図は、図３及び４と同様である。
【０１４２】
本実施の形態にかかるリモート処理システム１００のブロック図を図１４に、フローチャートを図１５に示す。第４の実施の形態乃至第６の実施の形態で用いた図８のブロック図と異なる点は、被制御機器２０としてのテレビ受信装置が外部機器３０の各種情報の入出力が可能な入出力部を有し、外部機器３０の情報を表示部２５にて表示可能である点である。
【０１４３】
なお、外部機器３０は、再生部３１、再生及び入出力を制御する制御部３２、被制御機器２０と各種情報の入出力を行う入出力部３３からなる。本実施の形態では、外部機器３０をＤＶＤ再生装置を例にとって説明する。
【０１４４】
本実施の形態におけるリモート処理システムにおいて、リモコン装置１０により、外部機器の動作を図１５のフローチャートに示す。
【０１４５】
図２を用いて説明したフローチャートと異なる点は、ステップＳＴ１において多桁のチャンネル番号を入力するのではなく、多桁のコンテンツ番号等を入力する点、ステップＳＴ１１及び１２において、チャンネル選局を行うのではなく、所定のコンテンツを選択する点である。
【０１４６】
本実施の形態を、多桁入力ＯＳＤ表示の変遷を示した図１６を参照して説明する。
【０１４７】
次に、１桁目（百の位）の数字情報として数字キー１１の「１０／０」キーを押下すると、１桁目用メモリ領域２２ａに「０」が格納されるとともに、多桁入力ＯＳＤ表示では、１桁目に「０」が表示されて、次に入力すべき桁位置である２桁目（十の位）にカーソルが表示される（図１５のＳＴ６の「Ｙ」、ＳＴ７「Ｙ」、ＳＴ８、ＳＴ３への復帰過程におけるカーソルの自動移動）＜５−２＞。
【０１４８】
同様に、数字キー１１の「１」キー、「２」キーと連続して押下すると、２桁目用メモリ領域２２ｂに「１」、３桁目用メモリ領域２２ｃに「２」が格納されるとともに、多桁入力ＯＳＤ表示では、２桁目（十の位）に「１」、３桁目（一の位）に「２」が表示される＜１６−３＞。このとき、カーソルは３桁目より右には移動できないことから、一の位に表示したままとなる。
【０１４９】
そして、タイマ部２４にてカウントしている時間が所定時間を超えないうちに（図２のＳＴ９で「Ｙ」とならない時間内に）、カーソルキー１３の「左」キーを押下すると、多桁入力ＯＳＤ表示のカーソル位置が、２桁目（十の位）位置まで移動し、各桁の数字は、そのまま表示されたままとなり、メモリ部２２の内容も保持されたままとなる＜１６−４＞。
【０１５０】
そして、数字キー１１の「１０／０」キーを押下すると、２桁目用メモリ領域２２ａに「０」が格納されるとともに、多桁入力ＯＳＤ表示では、２桁目（十の位）に「０」が表示された状態となる＜１６−５＞。
【０１５１】
この状態で、決定キー１２を押下する（図１５のＳＴ１５）か、所定時間何も操作しない状態でいる（図１５のＳＴ９、ＳＴ１０）と、ＤＶＤのコンテンツのうちコンテンツ番号がＮｏ２であるコンテンツが再生されるよう、制御部２７及び入出力部２９を介して外部機器３０に指令が出され（図１５のＳＴ１１）、表示部２５にて当該コンテンツの再生内容を表示する。なお、上述したように前記決定キー１２の代わりにカーソルキー１３の「下」キーによって選局されてもよい。
【０１５２】
次に、本実施の形態の変形した実施の形態を多桁入力ＯＳＤ表示の変遷を示した図１７を参照して説明する。
【０１５３】
まず、リモコン装置１０の多桁入力キー１５を押下すると、メモリ部２２の記録及びタイマ部２４のカウントがクリアされ（図１５のＳＴ２、ＳＴ３）、表示部２５に上記多桁入力ＯＳＤ表示がなされる（図１５のＳＴ４）。このとき、初めに入力すべき桁位置である１桁目（百の位）にカーソルが表示されている＜１７−１＞。
【０１５４】
次に、１桁目（百の位）の数字情報として数字キー１１の「１０／０」キーを押下すると、１桁目用メモリ領域２２ａに「０」が格納されるとともに、多桁入力ＯＳＤ表示では、１桁目に「０」が表示されて、次に入力すべき桁位置である２桁目（十の位）にカーソルが表示される（図１５のＳＴ６の「Ｙ」、ＳＴ７「Ｙ」、ＳＴ８、ＳＴ３への復帰過程におけるカーソルの自動移動）＜１７−２＞。
【０１５５】
同様に、数字キー１１の「１０／０」キーを押下すると、２桁目用メモリ領域２２ｂに「０」が格納されるとともに、多桁入力ＯＳＤ表示では、２桁目（十の位）に「０」が表示される＜１７−３＞。
【０１５６】
ここで、モード選択キー１４のうち、外部入力選択キー４２の「字幕」キーを押下すると、モードメモリ領域２８に「字幕」の識別情報が記憶されるとともに、多桁入力ＯＳＤ表示の大のボックスに表示されているモード選択情報の表示が「字幕」に変更される。そして、同時にメモリ部２２内の内容がクリアされ、多桁入力ＯＳＤ表示における小のボックス内の数字情報等は、初期表示状態の「‐」表示が表示され、カーソル位置はデフォルト位置である１桁目に戻される＜１７−４＞。
【０１５７】
そして、数字情報等の入力も初めから入力をし直すことになり、例えば、カーソルキー１３の「右」キーを連続して２回押下すると、３桁目（一の位）にカーソルが移動し、この位置で、数字キー１１の「２」キーを押下し＜１７−６＞、決定キー１２を押下する（図１５のＳＴ１５）か、所定時間何も操作しない状態でいる（図１５のＳＴ９、ＳＴ１０）と、〔第３の実施の形態〕と同様に何も入力されていない桁は自動的に「０」と認識され、結果として字幕言語のうちＮｏ２の言語によって字幕が表示されることになる。
【０１５８】
以上、本実施の形態によれば、モード選択キー１４の外部入力・モードキー４３によって、外部機器を選択したり、画面の表示モードを選択する切換を行うと共に、外部機器のコンテンツ、表示モードをダイレクトに選択することができる。これにより、ネットワークの切換に止まらず、コンテンツ、表示モード等を含め、領域を超えてダイレクト選局・選択でき、ユーザビリティが格段に向上する。
【０１５９】
なお、〔第２の実施の形態〕及び〔第３の実施の形態〕で説明したように、図９におけるステップＳＴ２やステップＳＴ１０を省略してもよい。
【０１６０】
さらに、本実施の形態は、〔第６の実施の形態〕で述べたのと同様に、〔第５の実施の形態〕と組み合わせることにより、数字情報等の途中入力状態を保持したままモードを変更することと、モード選択キー１４により、数字情報等の途中入力状態をクリアすることの両方を選択可能となる。
【０１６１】
なお、上記では、外部機器としてＤＶＤ装置、表示モードとして字幕を例にとって説明したが、これらに限らず、外部機器としてブルーレイディスク装置、ハードディスク再生装置、メモリーカード等様々なものに適用可能である。また、表示モードとしては、「字幕」の他、「副音声」（主音声、副音声）、「サウンド」（Ｎｏ１が「２ｃｈ」、Ｎｏ２が「５．１ｃｈ」等）、「ｉＬｉｎｋ」など、モードに複数の選択肢があるものについて、ダイレクトに選択が可能である。
【０１６２】
特に、近年のカラオケ再生装置では、複数の会社のＬＤがひとつの制御機器に収納されており、モードをカラオケのコンテンツの提供会社として、会社の枠を超えてダイレクトに選局する際に、本発明を適用すると非常に優れた効果を発揮する。
〔第８の実施の形態〕
次に、本発明の第８の実施の形態について説明する。本実施の形態にかかるリモコン装置１０、被制御機器２０としてのテレビ受信装置、リモート処理システム１００の外観図は、図３及び４と同様である。
【０１６３】
本実施の形態にかかるリモート処理システム１００のブロック図を図１８に示す。本実施の形態では、図１４で示したモードメモリ領域２８に、ネットワークごとにホームとなるチャンネル番号を記憶するメモリ領域２８ａ乃至２８ｄを設けている。ホームとなるチャンネル番号とは、ネットワークキー４２によりあるネットワークを選択したときに、最初に表示されるチャンネルのチャンネル番号である。
【０１６４】
本実施の形態にかかるリモート処理システム１００の動作を示すフローチャートを図１９に示す。第４の実施の形態で参照した図９との比較では、ステップＳＴ２１にてモード選択キー１４の何れかが選択されると、ステップＳＴ２２にてホームとなるチャンネルを選局すすると共に、ステップＳＴ２３にて多桁入力ＯＳＤ表示にホームとなるチャンネル番号を表示するようにしている。
【０１６５】
本実施の形態を、多桁入力ＯＳＤ表示の変遷を示した図２０を参照して説明する。
【０１６６】
まず、リモコン装置１０の多桁入力キー１５を押下すると、メモリ部２２の記録及びタイマ部２４のカウントがクリアされ（図１９のＳＴ２、ＳＴ３）、表示部２５に多桁入力ＯＳＤ表示がなされる（図１９のＳＴ４）。このとき、初めに入力すべき桁位置である１桁目（百の位）にカーソルが表示されている＜２０−１＞。
【０１６７】
次に、１桁目（百の位）の数字情報として数字キー１１の「１」キーを押下すると、１桁目用メモリ領域２２ａに「１」が格納されるとともに、多桁入力ＯＳＤ表示では、１桁目に「１」が表示されて、次に入力すべき桁位置である２桁目（十の位）にカーソルが表示される（図１９のＳＴ６の「Ｙ」、ＳＴ７「Ｙ」、ＳＴ８、ＳＴ３への復帰過程におけるカーソルの自動移動）＜２０−２＞。
【０１６８】
同様に、数字キー１１の「１０／０」キーを押下すると、２桁目用メモリ領域２２ｂに「０」が格納されるとともに、多桁入力ＯＳＤ表示では、２桁目（十の位）に「０」が表示される＜２０−３＞。
【０１６９】
ここで、モード選択キー１４のうち、ネットワークキー４２の「地上Ｄ」キーを押下すると、モードメモリ領域２８に「地上Ｄ」の識別情報が記憶されるとともに、地上Ｄ用ｃｈメモリ領域から、地上Ｄのホームとなるチャンネルを読み出し、当該チャンネルを選局する（ＳＴ２２）。一方で、チャンネルが選局されても暫くは多桁入力ＯＳＤ表示がなされており、カーソルはデフォルト位置の１桁目に（百の位）に表示される＜２０−４＞。
【０１７０】
そして、カーソルキー１３の「右」キーを２回押下すると、カーソルは３桁目（一の位）に移動し、この状態で数字キー１１の「５」キーを押下し＜２０−６＞、決定キー１２を押下する（図１９のＳＴ１５）か、所定時間何も操作しない状態でいる（図１９のＳＴ９、ＳＴ１０）と、「地上Ｄ２０５ｃｈ」が再び選局され（図１９のＳＴ１１）、当該放送の内容が表示部２５に表示されることとなる。
【０１７１】
ところで、上記ではチャンネル選局の場合にホームチャンネルを選局する例を示したが、ＤＶＤ再生等の場合は、ホームとなるコンテンツ番号の内容を表示部２５に表示することになる。
【０１７２】
以上、本実施の形態によれば、ネットワークキー４２により、多桁入力の途中でもダイレクトにネットワークごとのホームチャンネルに選局できるとともに、多桁入力ＯＳＤ表示も所定時間は保持されるから、ホームチャンネルの選局及びホームチャンネルに近いチャンネル番号に容易に訂正することができる。
【０１７３】
なお、外部入力・モードキーを４３を利用する場合は、ホームとするのはコンテンツ番号やサウンド番号や字幕番号等である。これらを総じてホームとなる特定番号と称する。
【０１７４】
また、〔第２の実施の形態〕及び〔第３の実施の形態〕で説明したように、図９におけるステップＳＴ２やステップＳＴ１０を省略してもよい。
〔第９の実施の形態〕
次に、本発明の第９の実施の形態について説明する。本実施の形態にかかるリモコン装置１０、被制御機器２０としてのテレビ受信装置、リモート処理システム１００の外観図は、図３及び４と同様である。
【０１７５】
本実施の形態にかかるリモート処理システム１００のブロック図を図２１に示す。本実施の形態では、第７の実施の形態で参照した図１４のモードメモリ領域２８に、モードごとにチャンネル番号や、コンテンツ番号を特定するのに必要な桁数を記憶するメモリ領域を設けている。
【０１７６】
本実施の形態にかかるリモート処理システム１００の動作を示すフローチャートを図２２に示す。第６の実施の形態で参照した図１２との比較では、ステップ４にて多桁入力ＯＳＤ表示がなされた際、ステップＳＴ２３にてモードに応じた桁数のみを入力できるようにする点で異なる。
【０１７７】
本実施の形態の多桁入力ＯＳＤ表示の例を図２３に示す。
【０１７８】
図２３（ａ）は、ネットワークキー４２により「地上Ｄ」が操作された場合のステップＳＴ２３での多桁入力ＯＳＤ表示の例である。地上デジタル放送では、チャンネルの特定に通常３桁の数字を用いるが、チャンネルによっては枝番号を有しており、実際４桁表示が必要な場合がある。よって、ネットワークキー４２により「地上Ｄ」が操作された場合は、モードメモリ領域２８の地上Ｄ桁数メモリ領域２８ｅより、「３桁＋１桁」である旨の情報を引き出し、図２３（ａ）−１のようなデフォルトの多桁入力ＯＳＤ表示をする。そして、例えば数字キー１３とカーソルキー１３により、図２３（ａ）−２のように入力することになる。
【０１７９】
図２３（ｂ）は、ネットワークキー４２により「ＣＳ」が操作された場合のステップＳＴ２３での多桁入力ＯＳＤ表示の例である。ＣＳデジタル放送では、チャンネルの特定に３桁の数字を用いる。よって、ネットワークキー４２により「地上Ｄ」が操作された場合は、モードメモリ領域２８のＣＳ桁数メモリ領域（図示せず）より、「３桁」である旨の情報を引き出し、枝番号を入力する部分に入力が不可能なように、図２３（ｂ）−１のように枝番号入力部分に「＊」表示をしたデフォルトの多桁入力ＯＳＤ表示をする。そして、例えば数字キー１３とカーソルキー１３により、図２３（ｂ）−２のように入力することになる。
【０１８０】
図２３（ｃ）は、外部入力・モードキー４２により「ＤＶＤ」が操作された場合のステップＳＴ２３での多桁入力ＯＳＤ表示の例である。ＤＶＤのコンテンツ番号を特定するのに必要な桁数は、ＤＶＤディスクに収録されているコンテンツの数によって異なる。また、コンテンツの収納状況によって、枝番号を用いた方がよい場合もある。このＤＶＤのコンテンツ番号を特定するのに必要な桁数は、ＤＶＤから読み込むことによってＤＶＤコンテンツ桁数メモリ領域２９ｇに格納しておく。よって、ネットワークキー４２により「ＤＶＤ」が操作された場合は、モードメモリ領域２８のＤＶＤコンテンツ桁数メモリ領域２９ｇより、例えば「２桁」である旨の情報を引き出し、特定するのに必要でない桁は入力が不可能なように、図２３（ｃ）−１のようなデフォルトの多桁入力ＯＳＤ表示をする。そして、例えば数字キー１３とカーソルキー１３により、図２３（ｃ）−２のように入力することになる。
【０１８１】
図２３（ｄ）は、外部入力・モードキー４３により「音声」が操作された場合のステップＳＴ２３での多桁入力ＯＳＤ表示の例である。音声のモード番号を特定するのに必要な桁数は、チャンネルによって異なる。ただし、音声はモノラル、多重音声など、通常１桁で特定できる程度しかない。よって、外部入力・モードキー４３により「音声」が操作された場合は、モードメモリ領域２８のＤＶＤコンテンツ桁数メモリ領域２９ｇより、例えば「１桁」である旨の情報を引き出し、特定するのに必要でない桁は入力が不可能なように、図２３（ｄ）−１のようなデフォルトの多桁入力ＯＳＤ表示をする。そして、例えば数字キー１３とカーソルキー１３により、図２３（ｄ）−２のように入力することになる。
【０１８２】
なお、以上では、入力すべきでない桁数に「＊」表示等をすることによって、入力できないことを通知する例を示したが、図２４に示すように、各モードによって、再生すべき情報を特定するのに必要な桁数のみを入力できる大きさのボックスを表示するようにしてもよい。
【０１８３】
以上、本発明について説明したが、種々の設計的な変形は可能である。例えば、カーソルは、アンダーバーや点灯などに置き換えてもよく、入力位置を指示できるものであれば何れでもよい（入力位置指示手段）。また、カーソルキー１３は、ジョグダイヤルなどに置き換えてもよく、入力位置の移動を指示できるものであれば何れでもよい（入力位置移動指示手段）。また、種々のキーは、タッチパネルなどでもよい。
【０１８４】
また、上記ではチャンネル番号を特定して受信した放送を表示部２５で表示する例や、外部機器で再生した映像や音楽を入力して被制御機器にて表示、再生する例、また、複数ある言語の字幕のうち、１つを特定して表示部にて表示する例などを示した。これらを総じて、放送や、映像、音楽、字幕、サウンドなどを被制御装置で「再生する」というように表現する。
【産業上の利用可能性】
【０１８５】
本発明は、デジタル放送受信機等において利用可能である。
【図面の簡単な説明】
【０１８６】
【図１】本発明に係るリモート処理装置の要部の構成の一例を示すブロック図である。
【図２】本発明に係るテレビ受信装置及びリモコン装置の動作の一例を説明するためのフローチャートである。
【図３】本発明に係るテレビ受信装置及びリモコン装置の外観図である。
【図４】本発明に係るリモコン装置の詳細な外観図である。
【図５】本発明に係るテレビ受信装置の表示部における多桁入力ＯＳＤ表示の変遷の一例を示した図である。
【図６】本発明に係るテレビ受信装置の表示部における多桁入力ＯＳＤ表示の変遷の一例を示した図である。
【図７】本発明に係るテレビ受信装置の表示部における多桁入力ＯＳＤ表示の変遷の一例を示した図である。
【図８】本発明に係るリモート処理装置の要部の構成の一例を示すブロック図である。
【図９】本発明に係るテレビ受信装置及びリモコン装置の動作の一例を説明するためのフローチャートである。
【図１０】本発明に係るテレビ受信装置の表示部における多桁入力ＯＳＤ表示の変遷の一例を示した図である。
【図１１】本発明に係るテレビ受信装置の表示部における多桁入力ＯＳＤ表示の変遷の一例を示した図である。
【図１２】本発明に係るテレビ受信装置及びリモコン装置の動作の一例を説明するためのフローチャートである。
【図１３】本発明に係るテレビ受信装置の表示部における多桁入力ＯＳＤ表示の変遷の一例を示した図である。
【図１４】本発明に係るリモート処理装置の要部の構成の一例を示すブロック図である。
【図１５】本発明に係るテレビ受信装置及びリモコン装置の動作の一例を説明するためのフローチャートである。
【図１６】本発明に係るテレビ受信装置の表示部における多桁入力ＯＳＤ表示の変遷の一例を示した図である。
【図１７】本発明に係るテレビ受信装置の表示部における多桁入力ＯＳＤ表示の変遷の一例を示した図である。
【図１８】本発明に係るリモート処理装置の要部の構成の一例を示すブロック図である。
【図１９】本発明に係るテレビ受信装置及びリモコン装置の動作の一例を説明するためのフローチャートである。
【図２０】本発明に係るテレビ受信装置の表示部における多桁入力ＯＳＤ表示の変遷の一例を示した図である。
【図２１】本発明に係るリモート処理装置の要部の構成の一例を示すブロック図である。
【図２２】本発明に係るテレビ受信装置及びリモコン装置の動作の一例を説明するためのフローチャートである。
【図２３】本発明に係るテレビ受信装置の表示部における多桁入力ＯＳＤ表示の変遷の一例を示した図である。
【図２４】本発明に係るテレビ受信装置の表示部における多桁入力ＯＳＤ表示の変遷の一例を示した図である。
【符号の説明】
【０１８７】
１０    リモコン装置
１１    数字キー
１２    決定キー
１３    カーソルキー
１４    モード選択キー
１５    多桁入力キー
１６    送信部
１７    制御部
２０    被制御機器（テレビ受信装置）
２１    受信部
２２    メモリ部
２２ａ  １桁目用メモリ領域
２２ｂ  ２桁目用メモリ領域
２２ｃ  ３桁目用メモリ領域
２３    識別部
２４    タイマ部
２５    表示部
２６    回路制御部
２７    制御部
１００  リモート処理システム
【図１】
2008099331.tif 000003
【図２】
2008099331.tif 000004
【図３】
2008099331.tif 000005
【図４】
2008099331.tif 000006
【図５】
2008099331.tif 000007
【図６】
2008099331.tif 000008
【図７】
2008099331.tif 000009
【図８】
2008099331.tif 000010
【図９】
2008099331.tif 000011
【図１０】
2008099331.tif 000012
【図１１】
2008099331.tif 000013
【図１２】
2008099331.tif 000014
【図１３】
2008099331.tif 000015
【図１４】
2008099331.tif 000016
【図１５】
2008099331.tif 000017
【図１６】
2008099331.tif 000018
【図１７】
2008099331.tif 000019
【図１８】
2008099331.tif 000020
【図１９】
2008099331.tif 000021
【図２０】
2008099331.tif 000022
【図２１】
2008099331.tif 000023
【図２２】
2008099331.tif 000024
【図２３】
2008099331.tif 000025
【図２４】
2008099331.tif 000026